(57)【要約】【課題】適切に編集された画像データを送信することができるファクシミリ装置を提供する。【解決手段】ファクシミリ装置１は、画像データを入力するスキャナ４と、スキャナによって入力された画像データを編集する画像処理部５と、画像処理部５によって編集された編集画像データを送信するモデム／ＮＣＵ６と、画像処理部５によって編集された編集画像データをモデム／ＮＣＵ６によって送信する前に、編集画像データによって表される編集画像を出力するプレビュー部７とを備える。【選択図】図１
2007312135.tif 000002
【特許請求の範囲】
【請求項１】
画像データを入力する画像入力手段と、
前記画像入力手段によって入力された画像データを編集する編集手段と、
前記編集手段によって編集された編集画像データを送信する送信手段と、
前記編集手段によって編集された編集画像データを前記送信手段によって送信する前に、前記編集画像データによって表される編集画像を出力する編集画像出力手段とを備えたことを特徴とする画像通信装置。
【請求項２】
前記編集手段は、ウィザード形式に従って前記画像データを編集する請求項１記載の画像通信装置。
【請求項３】
前記編集手段は、前記画像データによって表される画像をトリミングして編集するトリミング機能を有している請求項１記載の画像通信装置。
【請求項４】
前記編集手段は、複数種類の編集画面を所定の順番に従って表示し、
前記所定の順番を変更する変更手段をさらに備える請求項１記載の画像通信装置。
【請求項５】
受信データを受信する受信手段をさらに備え、
前記編集手段は、前記受信データと前記画像データとを合成する請求項１記載の画像通信装置。
【請求項６】
前記編集手段は、テキストデータと前記画像データとを合成する請求項１記載の画像通信装置。
【請求項７】
前記画像入力手段、前記編集手段、前記送信手段及び前記編集画像出力手段は親機に設けられており、
前記編集手段を操作するための子機を設けた請求項１記載の画像通信装置。
【請求項８】
画像データを入力し、
前記入力した画像データを編集し、
前記編集した編集画像データを送信する前に、前記編集画像データによって表される編集画像を出力し、
前記編集画像データを送信することを特徴とする画像データ送信方法。
【請求項９】
コンピュータに、画像データを入力する手順と、
前記入力した画像データを編集する手順と、
前記編集した編集画像データを送信する前に、前記編集画像データによって表される編集画像を出力する手順と、
前記編集画像データを送信する手順とを実行させることを特徴とするプログラム。
【請求項１０】
コンピュータに、画像データを入力する手順と、
前記入力した画像データを編集する手順と、
前記編集した編集画像データを送信する前に、前記編集画像データによって表される編集画像を出力する手順と、
前記編集画像データを送信する手順とを実行させるプログラムを記録したことを特徴とするコンピュータ読み取り可能な記録媒体。
【発明の詳細な説明】
【技術分野】
【０００１】
本発明は、入力画像データを編集した編集画像データを送信する画像通信装置、画像データ送信方法、プログラム及びコンピュータ読み取り可能な記録媒体に関する。
【背景技術】
【０００２】
従来から、入力画像データを、画像処理システムにより、自動的に拡大・縮小・合成する画像処理システムが広く使われている（例えば、特許文献１参照）。
【０００３】
また、画像データを入力して合成する際に、拡大・縮小・回転等の作業内容をユーザ側で選択しながら作業を行うことのできる画像処理装置が知られている（例えば、特許文献２参照）。
【０００４】
また、印刷画像の仕上がり具合を事前に確認できるようにするために、画像出力方法を用いた画像処理装置が知られている（例えば、特許文献３参照）。
【特許文献１】特開平１１−５５６０７号公報（平成１１年（1999）２月２６日公開）
【特許文献２】特開平１０−１９１０１８号公報（平成１０年（1998）７月２１日公開）
【特許文献３】特開平１０−１９１０７８号公報（平成１０年（1998）７月２１日公開）
【発明の開示】
【発明が解決しようとする課題】
【０００５】
しかしながら、上記特許文献１に記載の画像処理システムの構成では、拡大・縮小・合成等の編集を画像処理システムによって自動化しているので、ユーザ側で好みの画像に編集することができないという問題がある。
【０００６】
また、上記特許文献２に記載の画像処理装置では、拡大・縮小・回転等をメニュー選択方式に従って選択することによって作業を進めていくので、ユーザが作業内容を考えて選択を繰り返しながら作業を続けていかなければ好みの画像処理を完成させることができない。このため、面倒くさくなって途中でやめてしまうことになりがちであるという問題がある。
【０００７】
また、上記特許文献３に記載の画像処理装置においても、上記特許文献２に記載の画像処理装置と同様に、ユーザが作業内容を考えて選択を繰り返しながら作業を続けていかなければならないので、編集が未完成の画像が送信されるおそれがあるという問題がある。
【０００８】
本発明は、上記の問題点に鑑みてなされたものであり、その目的は、適切に編集された画像データを送信することができる画像通信装置、画像データ送信方法、プログラム及びコンピュータ読み取り可能な記録媒体を実現することにある。
【課題を解決するための手段】
【０００９】
本発明に係る画像通信装置は、上記課題を解決するために、画像データを入力する画像入力手段と、前記画像入力手段によって入力された画像データを編集する編集手段と、前記編集手段によって編集された編集画像データを送信する送信手段と、前記編集手段によって編集された編集画像データを前記送信手段によって送信する前に、前記編集画像データによって表される編集画像を出力する編集画像出力手段とを備えたことを特徴とする。
【００１０】
上記の特徴によれば、前記編集手段によって編集された編集画像データを前記送信手段によって送信する前に、前記編集画像データによって表される編集画像を出力する。このため、編集画像データを送信する前に、送信する編集画像データによって表される編集画像の内容を、相手方のファクシミリ装置がプリントアウトする状態で、確認することができる。このため、適切に編集された画像データを送信することができる画像通信装置を得ることができる。
【００１１】
本発明に係る画像通信装置では、前記編集手段は、ウィザード形式に従って前記画像データを編集することが好ましい。
【００１２】
上記構成によれば、ウィザード形式による指示に従って操作することにより、選択したり考えたりしなくても、画像データを編集するための操作をすることができるので、容易に画像データを編集することができる。
【００１３】
本発明に係る画像通信装置では、前記編集手段は、前記画像データによって表される画像をトリミングして編集するトリミング機能を有していることが好ましい。
【００１４】
上記構成によれば、画像データによって表される画像を自由に切り取ることができるので、画像を自由に編集して送信することができる画像通信装置を提供することができる。
【００１５】
本発明に係る画像通信装置では、前記編集手段は、複数種類の編集画面を所定の順番に従って表示し、前記所定の順番を変更する変更手段をさらに備えることが好ましい。
【００１６】
上記構成によれば、ウィザード形式における複数種類の編集画面を表示する順番を変更することができるので、画像データを編集する編集者の嗜好に応じた順番に従って画像を編集して送信することができる画像通信装置を提供することができる。
【００１７】
本発明に係る画像通信装置では、受信データを受信する受信手段をさらに備え、前記編集手段は、前記受信データと前記画像データとを合成することが好ましい。
【００１８】
上記構成によれば、受信したファクシミリ画像データを編集して送信することができる。
【００１９】
本発明に係る画像通信装置では、前記編集手段は、テキストデータと前記画像データとを合成することが好ましい。
【００２０】
上記構成によれば、例えば、手紙の文章の下地に、紅葉の画像のような季節柄の画像をうすく入れて合成した画像データで通信することができる。
【００２１】
本発明に係る画像通信装置では、前記画像入力手段、前記編集手段、前記送信手段及び前記編集画像出力手段は親機に設けられており、前記編集手段を操作するための子機を設けることが好ましい。
【００２２】
上記構成によれば、画像通信装置本体から離れた所でも、編集手段を操作して画像データを編集することができる。
【００２３】
本発明に係る画像データ送信方法は、上記課題を解決するために、画像データを入力し、前記入力した画像データを編集し、前記編集した編集画像データを送信する前に、前記編集画像データによって表される編集画像を出力し、前記編集画像データを送信することを特徴とする。
【００２４】
この特徴によれば、前記編集された編集画像データを送信する前に、前記編集画像データによって表される編集画像を出力する。このため、編集画像データを送信する前に、送信する編集画像データによって表される編集画像の内容を、相手方の画像通信装置がプリントアウトする状態で、確認することができる。このため、適切に編集された画像データを送信することができる画像データ送信方法を得ることができる。
【００２５】
本発明に係るプログラムは、上記課題を解決するために、コンピュータに、画像データを入力する手順と、前記入力した画像データを編集する手順と、前記編集した編集画像データを送信する前に、前記編集画像データによって表される編集画像を出力する手順と、前記編集画像データを送信する手順とを実行させることを特徴とする。
【００２６】
本発明に係るコンピュータ読み取り可能な記録媒体は、上記課題を解決するために、コンピュータに、画像データを入力する手順と、前記入力した画像データを編集する手順と、前記編集した編集画像データを送信する前に、前記編集画像データによって表される編集画像を出力する手順と、前記編集画像データを送信する手順とを実行させるプログラムを記録したことを特徴とする。
【発明の効果】
【００２７】
本発明に係る画像通信装置は、以上のように、前記編集手段によって編集された編集画像データを前記送信手段によって送信する前に、前記編集画像データによって表される編集画像を出力する編集画像出力手段を備えているので、適切に編集された画像データを送信することができる画像通信装置を得ることができるという効果を奏する。
【００２８】
本発明に係る画像データ送信方法は、以上のように、前記編集した編集画像データを送信する前に、前記編集画像データによって表される編集画像を出力するので、適切に編集された画像データを送信することができるという効果を奏する。
【発明を実施するための最良の形態】
【００２９】
本発明の一実施形態について図１ないし図１１に基づいて説明すると以下の通りである。図１は、本発明の実施形態を示すものであり、ファクシミリ装置１の要部構成を示すブロック図である。ファクシミリ装置１は、親機２と子機３とを備えている。
【００３０】
親機２は、制御部９を有している。制御部９は、ファクシミリ装置１全体の動作を制御する。親機２には、スキャナ４が設けられている。スキャナ４は、画像データを入力して制御部９に供給する。制御部９は、メモリカード１１を装着するためのカードスロット１２を有している。メモリカード１１に記録された画像データまたはテキスト文書ファイルまたはテキストデータは、カードスロット１２を介して制御部９に供給される。制御部９は、パーソナルコンピュータ（以下「ＰＣ」という）１３にケーブルを介して接続されたＵＳＢポート１４を有している。ＰＣ１３から送信される画像データまたはテキスト文書ファイルまたはテキストデータは、ＵＳＢポート１４を介して制御部９に供給される。
【００３１】
親機２は、操作部１５を有している。操作部１５には、ファクシミリ装置１の動作を制御するための矢印キー、ＥＮＴＥＲキー、スティック型ポインティングデバイス等が設けられている。スティック型ポインティングデバイスとは、棒状の突起形状をした入力装置であって、これに前後左右に指で力を加えることにより、表示画面上のカーソルを移動させる入力装置をいう。
【００３２】
親機２には、表示部１６が設けられている。表示部１６には、入力画像データを編集するための編集画面等が表示される。親機２は、記憶部１７を有している。記憶部１７には、スキャナ４から入力された画像データ、メモリカード１１から入力された画像データまたはテキスト文書ファイル、及びＰＣ１３から入力された画像データまたはテキスト文書ファイル等が格納される。
【００３３】
親機２には、画像処理部５が設けられている。画像処理部５は、スキャナ４から入力された画像データ等をウィザード形式に従って編集する。画像処理部５は、複数種類の編集画面を所定の順番に従って表示部１６に表示する。画像処理部５は、この所定の順番を変更する変更部８を有している。
【００３４】
制御部９は、公衆回線網１９に接続されたモデム／ＮＣＵ６を有している。モデム／ＮＣＵ６は、画像処理部５によって編集された編集画像データを送信し、また、公衆回線網１９から画像データを受信する。
【００３５】
制御部９には、ＬＡＮ回線２０に接続されたＬＡＮポート１８が設けられている。ＬＡＮポート１８からは、編集画像データのファイルを添付した電子メールが送信され、また、ＬＡＮ回線２０から電子メールを受信する。
【００３６】
親機２は、プレビュー部７を有している。プレビュー部７は、画像処理部５によって編集された編集画像データをモデム／ＮＣＵ６によって送信する前に、この編集画像データによって表される編集画像を表示部１６に出力する。
【００３７】
親機２には、プリンタ１０が設けられている。プリンタ１０は、画像処理部５によって編集された編集画像データを印刷する。
【００３８】
子機３には、画像処理部５の動作を制御するための操作部が設けられている。
【００３９】
図２及び図３は、ファクシミリ装置１の画像編集動作を示すフローチャートである。図４は、表示部１６にウィザード形式に従って表示される編集画面２４ａを示す図である。まず、スキャナ４等によって入力されて記憶部１７に格納された画像データを縮小した複数個の縮小画像（サムネール）２３が編集画面２４ａに表示される。この複数個のサムネール２３の中から好みの背景画像を、矢印キーを操作することによって選択する（ステップＳ１）。複数個の画像を選択すれば、その複数個の画像を合成することができる。
【００４０】
次に、その選択した背景画像を画像合成に適用するか否かを選択する（ステップＳ２）。画像合成に適用しないことを選択したときは（ステップＳ２においてＮＯ）、ステップＳ１に戻る。画像合成に適用することを選択したときは（ステップＳ２においてＹＥＳ）、「次へ」と「戻る」と「キャンセル」とのいずれかのメニューを選択する（ステップＳ３）。「戻る」または「キャンセル」を選択したときは、処理を終了する。「次へ」を選択したときは、画像合成のための編集画面２４ｂが表示部１６にウィザード形式に従って表示される。
【００４１】
図５は、ウィザード形式に従って表示される編集画面２４ｂを示す図である。図５は、テキストデータ２１ａに画像ファイル２２ａを貼り付けて合成する例を示している（ステップＳ４）。
【００４２】
次に、その合成した画像を適用するか否かを選択する（ステップＳ５）。合成した画像を適用しないことを選択したときは（ステップＳ５においてＮＯ）、ステップＳ４に戻る。合成した画像を適用することを選択したときは（ステップＳ５においてＹＥＳ）、「次へ」と「戻る」と「キャンセル」とのいずれかのメニューを選択する（ステップＳ６）。「戻る」を選択したときは、ステップＳ１に戻る。「キャンセル」を選択したときは、処理を終了する。
【００４３】
「次へ」を選択したときは、画像回転のための編集画面２４ｃが表示部１６にウィザード形式に従って表示される（ステップＳ７）。図６は、編集画面２４ｃを示す図である。そして、表示されている画像２５ａの向きを、矢印キーにより選択し、ＥＮＴＥＲキーで決定する。図６に示す例は、画像２５ａを、時計回りに９０度回転させ画像２５ｂにした例を示している。
【００４４】
次に、その回転した画像を適用するか否かを選択する（ステップＳ８）。回転した画像を適用しないことを選択したときは（ステップＳ８においてＮＯ）、ステップＳ７に戻る。回転した画像を適用することを選択したときは（ステップＳ８においてＹＥＳ）、「次へ」と「戻る」と「キャンセル」とのいずれかのメニューを選択する（ステップＳ９）。「戻る」を選択したときは、ステップＳ４に戻る。「キャンセル」を選択したときは、処理を終了する。
【００４５】
「次へ」を選択したときは、画像移動のための編集画面２４ｄが表示部１６にウィザード形式に従って表示される（ステップＳ１０）。図７は、編集画面２４ｄを示す図である。そして、スティック型ポインティングデバイスを使って画像をドラッグ＆ドロップして位置を設定し、ＥＮＴＥＲキーで決定する。このようにして、画面上に表示されている背景画像の位置を決定する。図７の例では、画像２５ｃにおいて中央に位置していた「背景画像」という画像の位置を下側に移動させて、画像２５ｄとしている。
【００４６】
ここで図６、図７及び図８に表記した「背景画像」という画像とは、テキストデータ等により表される文字等の背景となる画像であって、例えば、紅葉の画像のような季節柄の画像である。
【００４７】
次に、その移動させた画像を適用するか否かを選択する（ステップＳ１１）。移動させた画像を適用しないことを選択したときは（ステップＳ１１においてＮＯ）、ステップＳ１０に戻る。移動させた画像を適用することを選択したときは（ステップＳ１１においてＹＥＳ）、「次へ」と「戻る」と「キャンセル」とのいずれかのメニューを選択する（ステップＳ１２）。「戻る」を選択したときは、ステップＳ７に戻る。「キャンセル」を選択したときは、処理を終了する。
【００４８】
「次へ」を選択したときは、画像トリミングのための編集画面が表示部１６にウィザード形式に従って表示される（ステップＳ１３）。そして、スティック型ポインティングデバイスを操作して、好みの形状に自由に画像を切り取る。
【００４９】
次に、そのトリミングした画像を適用するか否かを選択する（ステップＳ１４）。トリミングした画像を適用しないことを選択したときは（ステップＳ１４においてＮＯ）、ステップＳ１３に戻る。トリミングした画像を適用することを選択したときは（ステップＳ１４においてＹＥＳ）、「次へ」と「戻る」と「キャンセル」とのいずれかのメニューを選択する（ステップＳ１５）。「戻る」を選択したときは、ステップＳ１０に戻る。「キャンセル」を選択したときは、処理を終了する。
【００５０】
「次へ」を選択したときは、拡大・縮小のための編集画面２４ｅが表示部１６にウィザード形式に従って表示される（図３：ステップＳ１６）。
【００５１】
図８は、ウィザード形式に従って表示される編集画面２４ｅを示す図である。矢印キーにより倍率を選択し、ＥＮＴＥＲキーで決定することにより、画像２５ｅを拡大・縮小して画像２５ｆとし、画面上に表示された画像の倍率を決定する。図８では、画像２５ｅを１５０％に拡大して画像２５ｆとした例を示している。
【００５２】
次に、その拡大・縮小した画像を適用するか否かを選択する（ステップＳ１７）。拡大・縮小した画像を適用しないことを選択したときは（ステップＳ１７においてＮＯ）、ステップＳ１６に戻る。拡大・縮小した画像を適用することを選択したときは（ステップＳ１７においてＹＥＳ）、「次へ」と「戻る」と「キャンセル」とのいずれかのメニューを選択する（ステップＳ１８）。「戻る」を選択したときは、ステップＳ１３に戻る。「キャンセル」を選択したときは、処理を終了する。
【００５３】
「次へ」を選択したときは、濃度調整のための編集画面２４ｆが表示部１６にウィザード形式に従って表示される（ステップＳ１９）。
【００５４】
図９（ａ）（ｂ）は、ウィザード形式に従って表示される編集画面２４ｆを示す図である。矢印キーにより印刷濃度を選択し、ＥＮＴＥＲキーで決定することにより、編集画面２４ｆに表示されている背景画像の濃度を決定する。図９（ａ）（ｂ）に示す例では、元データの画像２５ｇの濃度を調整して、画像２５ｈの調整後データを作成し、濃度調整完了後の画像２５ｉを表示する例を示している。
【００５５】
次に、その濃度調整した画像を適用するか否かを選択する（ステップＳ２０）。濃度調整した画像を適用しないことを選択したときは（ステップＳ２０においてＮＯ）、ステップＳ１９に戻る。拡大・縮小した画像を適用することを選択したときは（ステップＳ２０においてＹＥＳ）、「次へ」と「戻る」と「キャンセル」とのいずれかのメニューを選択する（ステップＳ２１）。「戻る」を選択したときは、ステップＳ１６に戻る。「キャンセル」を選択したときは、処理を終了する。
【００５６】
「次へ」を選択したときは、プレビューのための画面が表示部１６にウィザード形式に従って表示される（ステップＳ２２）。そして、プレビュー部７により、一連の編集作業により編集した画像を表示部１６に表示するプレビュー処理を適用するか否かを選択する（ステップＳ２３）。プレビュー処理を適用しないことを選択したときは（ステップＳ２３においてＮＯ）、ステップＳ２２に戻る。プレビュー処理を適用することを選択したときは（ステップＳ２３においてＹＥＳ）、「次へ」と「戻る」と「キャンセル」とのいずれかのメニューを選択する（ステップＳ２４）。「戻る」を選択したときは、ステップＳ１９に戻る。「キャンセル」を選択したときは、処理を終了する。
【００５７】
「次へ」を選択したときは、プレ印刷のための画面が表示部１６にウィザード形式に従って表示される（ステップＳ２５）。そして、編集した画像をプリンタ１０に出力するプレ印刷処理を適用するか否かを選択する（ステップＳ２６）。プレ印刷処理を適用しないことを選択したときは（ステップＳ２６においてＮＯ）、ステップＳ２５に戻る。プレ印刷処理を適用することを選択したときは（ステップＳ２６においてＹＥＳ）、「次へ」と「戻る」と「キャンセル」とのいずれかのメニューを選択する（ステップＳ２７）。「戻る」を選択したときは、ステップＳ２２に戻る。「キャンセル」を選択したときは、処理を終了する。
【００５８】
その後、モデム／ＮＣＵ６は、画像処理部５における一連の編集作業により編集した編集画像データを送信する。
【００５９】
このように、ウィザード形式に従えば、各編集画面が必ず所定の順番に従って表示されるので、一連の流れ作業により、ユーザの手を煩わすことなく、簡易に画像合成を完成させることができる。
【００６０】
また、一連の編集作業により編集した画像を送信する前に、その編集画像を相手側のファクシミリ装置がプリントアウトした状態で、解像度もそのままに、編集画像の位置もそのままに確認できる。このため、適切に編集された画像データを送信することができる。
【００６１】
画像処理部５における一連の編集作業の順番は、変更部８によりユーザの好みに応じて変更することができ、また、ユーザの好みに応じて編集作業の一部を除外することもできる。
【００６２】
図１０及び図１１は、ウィザード形式に従って表示される変形例の編集画面を示す図である。図５ではテキスト文書ファイルに画像ファイルを合成する例を示したが、本発明はこれに限定されず、図１０に示すように、テキスト文書ファイル２１ａにテキスト文書ファイル２１ｂを合成してもよい。また、図１１に示すように、画像ファイル２２ｂに画像ファイル２２ａを合成してもよい。
【００６３】
このように、親機２に設けたスキャナ４で取り込んだ画像データ、もしくは、メモリカード１１等の記憶媒体から取り込んだ画像データと、文書テキストデータとを、ウィザード形式に従った操作ガイドを使って自由に編集することができる。編集したデータを送る際は、ファイル形式をそのままにして送っても良いし、ＰＤＦ形式等の他のデータ形式にデータ変換してデータを軽くして送ってもよい。
【００６４】
また、携帯電話、ＰＤＡ等で撮影した画像データを送信してセット本体（親機２）に取り込ませ、文書テキストデータを、操作ガイド機能を使って、自由に編集することができる。編集したデータを送る際は、ファイル形式をそのままにして送っても良いし、ＰＤＦ形式にデータ変換してデータを軽くして送ってもよい。
【００６５】
また、子機３を携帯電話で代用させ、携帯電話の子機３で撮影した画像データを送信してセット本体（親機２）に取り込ませ、その画像データと文書テキストファイルとを操作ガイド機能を使って、自由に編集することができる。編集したデータを送る際は、ファイル形式をそのままにして送っても良いし、ＰＤＦ形式等の他のデータ形式にデータ変換してデータを軽くして送ってもよい。
【００６６】
このように本実施の形態のファクシミリ装置は、今までと異なり、実用シーンが増え、手紙をメール送信する際、アレンジできるバリエーションが増えるので、ファクシミリ装置の使用度が増える。
【００６７】
子機３は、専用の子機のみならず、汎用の携帯電話によって構成することもできる。子機３を携帯電話によって構成すると、親機２から離れた場所であっても画像処理部５の動作を操作することができる。また、スキャナ４によって入力した画像データそのものを親機２から携帯電話の子機３に転送し、子機３に画像処理部５を設けて、子機３において画像データを編集することができるように構成してもよい。
【００６８】
本実施の形態では、プレビュー部７が、画像処理部５によって編集された編集画像データをモデム／ＮＣＵ６によって送信する前に、この編集画像データによって表される編集画像を表示部１６に出力する例を示したが、本発明はこれに限定されない。プレビュー部７は、編集画像データによって表される編集画像をプリンタ１０に出力してもよい。
【００６９】
また、公衆回線網１９を通してモデム／ＮＣＵ６により受信した画像データを、スキャナ４により入力した画像データと合成してもよい。
【００７０】
また、画像処理部５によって編集した編集画像データは、ＬＡＮポート１８からＬＡＮ回線２０を通して送信される電子メールに添付して送信してもよい。
【００７１】
本実施の形態では、ファクシミリ装置を例に挙げて説明したが、本発明はこれに限定されない。例えば、ＰＤＦ形式の画像データを添付した電子メールを送信可能な画像通信装置に対しても本発明を適用することができる。
【００７２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００７３】
なお、上記実施形態のファクシミリ装置の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態のファクシミリ装置の各種機能および各種処理を実現することができる。また、上記プログラムをリムーバブルな記録媒体に記録することにより、任意のコンピュータ上で上記の各種機能および各種処理を実現することができる。
【００７４】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００７５】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００７６】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュメモリ等による半導体メモリを含めた固定的にプログラムを担持する記録媒体等がある。
【００７７】
また、インターネットを含む通信ネットワークを接続可能なシステム構成であれば、通信ネットワークからプログラムをダウンロードするように流動的にプログラムを担持する記録媒体であることが好ましい。
【００７８】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【００７９】
本発明は、入力画像データを編集した編集画像データを送信する画像通信装置、画像データ送信方法、プログラム及びコンピュータ読み取り可能な記録媒体に適用することができる。
【００８０】
また、ＭＦＰ（Multi Function Printer）、複合装置に対しても本発明を適用することができる。
【図面の簡単な説明】
【００８１】
【図１】本発明の実施形態を示すものであり、ファクシミリ装置の要部構成を示すブロック図である。
【図２】上記ファクシミリ装置の画像編集動作を示すフローチャートである。
【図３】上記ファクシミリ装置の画像編集動作を示すフローチャートである。
【図４】上記ファクシミリ装置のウィザード形式に従って表示される編集画面を示す図である。
【図５】上記ファクシミリ装置のウィザード形式に従って表示される他の編集画面を示す図である。
【図６】上記ファクシミリ装置のウィザード形式に従って表示されるさらに他の編集画面を示す図である。
【図７】上記ファクシミリ装置のウィザード形式に従って表示されるさらに他の編集画面を示す図である。
【図８】上記ファクシミリ装置のウィザード形式に従って表示されるさらに他の編集画面を示す図である。
【図９】（ａ）（ｂ）は、上記ファクシミリ装置のウィザード形式に従って表示されるさらに他の編集画面を示す図である。
【図１０】上記ファクシミリ装置のウィザード形式に従って表示される変形例の編集画面を示す図である。
【図１１】上記ファクシミリ装置のウィザード形式に従って表示される他の変形例の編集画面を示す図である。
【符号の説明】
【００８２】
１    ファクシミリ装置
２    親機
３    子機
４    スキャナ（画像入力手段）
５    画像処理部（編集手段）
６    モデム／ＮＣＵ（送信手段、受信手段）
７    プレビュー部（編集画像出力手段）
８    変更部（変更手段）
９    制御部
【図１】
2007312135.tif 000003
【図２】
2007312135.tif 000004
【図３】
2007312135.tif 000005
【図４】
2007312135.tif 000006
【図５】
2007312135.tif 000007
【図６】
2007312135.tif 000008
【図７】
2007312135.tif 000009
【図８】
2007312135.tif 000010
【図９】
2007312135.tif 000011
【図１０】
2007312135.tif 000012
【図１１】
2007312135.tif 000013